(57)【要約】【課題】シートの向きに関わらず、車両用シートに着座した乗員の上体が衝突時にシートバックに沿ってずり上がることを防止又は抑制する。【解決手段】車両用シート構造は、乗員Ｐの臀部Ｐ１及び大腿部Ｐ２を支持するシートクッション２２と、シートクッション２２を車両上下方向を軸方向として回転可能に支持する回転機構１８と、シートクッション２２のシート後方側においてシートクッション２２に対してシート前後方向に傾倒可能に設けられ、乗員Ｐの上体Ｐ３を支持するシートバック２４と、を備えている。また、車両用シート構造は、シートバック２４に対してシートクッション２２とは反対側に設けられ、乗員Ｐの頭部Ｐ４を支持するヘッドレスト２６と、ヘッドレスト２６に設けられ、車両の緊急時に乗員Ｐ側へ向けて突出することで、シートバック２４に沿ってヘッドレスト側へ移動した乗員Ｐの両肩Ｐ５を拘束する肩拘束部６２と、を備えている。【選択図】図１
2020175895.tif 000002
【特許請求の範囲】
【請求項１】
乗員の臀部及び大腿部を支持するシートクッションと、
前記シートクッションを車両上下方向を軸方向として回転可能に支持する回転機構と、
前記シートクッションのシート後方側において該シートクッションに対してシート前後方向に傾倒可能に設けられ、前記乗員の上体を支持するシートバックと、
前記シートバックに対して前記シートクッションとは反対側に設けられ、前記乗員の頭部を支持するヘッドレストと、
前記ヘッドレスト又は前記シートバックにおける前記ヘッドレスト側に設けられ、前記乗員側へ向けて突出することで、前記シートバックに沿って前記ヘッドレスト側へ移動した前記乗員の両肩を拘束する肩拘束部と、
を備え、
前記乗員の両肩によって前記肩拘束部を押圧する荷重が所定の荷重を超えた際に、前記肩拘束部が移動する車両用シート構造。
【請求項２】
乗員の臀部及び大腿部を支持するシートクッションと、
前記シートクッションを車両上下方向を軸方向として回転可能に支持する回転機構と、
前記シートクッションのシート後方側において該シートクッションに対してシート前後方向に傾倒可能に設けられ、前記乗員の上体を支持するシートバックと、
前記シートバックに対して前記シートクッションとは反対側に設けられ、前記乗員の頭部を支持するヘッドレストと、
前記ヘッドレスト又は前記シートバックにおける前記ヘッドレスト側に設けられ、前記乗員側へ向けて突出することで、前記シートバックに沿って前記ヘッドレスト側へ移動した前記乗員の両肩を拘束する肩拘束部と、
を備え、
前記シートバックの傾斜角度が所定の角度を超えて傾斜している場合、または前記シートクッションのシート前方向が車両の後方向に向けられた状態で、前記肩拘束部が前記乗員側へ向けて突出する車両用シート構造。
【請求項３】
前記肩拘束部は、前記ヘッドレストに設けられ、
前記シートバックに対する前記ヘッドレストの位置を所定の位置に保持する保持機構を備え、
前記乗員の両肩によって前記肩拘束部を押圧する荷重が所定の荷重を超えた際に、前記保持機構による前記ヘッドレストの保持が解除される請求項１記載の車両用シート構造。
【請求項４】
前記保持機構は、係止部を含んで構成され、
前記ヘッドレストは、前記係止部が係止される被係止部を有するヘッドレストステーを含んで構成され、
前記乗員の両肩によって前記肩拘束部を押圧する荷重が所定の荷重を超えた際に、前記係止部が前記被係止部から外れて、前記保持機構による前記ヘッドレストの保持が解除される請求項３記載の車両用シート構造。
【請求項５】
前記肩拘束部には、前記乗員の両肩に押圧されることで変形するエネルギ吸収部が設けられている請求項１〜請求項４のいずれか１項に記載の車両用シート構造。
【発明の詳細な説明】
【技術分野】
【０００１】
本発明は、車両用シート構造に関する。
【背景技術】
【０００２】
下記特許文献１には、車両が後方からの衝撃を受けた場合に、車両用シートに着座した乗員の頭部が乗員室を構成する部材に接触することを防止可能とした乗員保護装置が開示されている。この文献に記載された乗員保護装置は、座席から展開する第１エアバッグと、天井から展開する第２エアバッグと、を含んで構成されている。そして、第１エアバッグが、乗員の鎖骨部分、肋骨部分及び上腕骨部分を押さえると共に、第２エアバッグが、第１エアバッグを支持する。これにより、車両用シートに着座した乗員の上体がシートバックに沿ってずり上がることが防止され、乗員の頭部が乗員室を構成する部材に接触することが防止される。
【先行技術文献】
【特許文献】
【０００３】
【特許文献１】特開２０１７−６５２９８号公報
【発明の概要】
【発明が解決しようとする課題】
【０００４】
ところで、シートの向きが車両の前方側に向けられた状態から変更することが可能とされた車両用シートでは、シートの向きに関わらず、車両用シートに着座した乗員の上体が衝突時にシートバックに沿ってずり上がることを防止又は抑制できることが望まれる。しかしながら、上記特許文献１に記載された構成では、このような要求に対応することが難しい。
【０００５】
本発明は上記事実を考慮し、シートの向きに関わらず、車両用シートに着座した乗員の上体が衝突時にシートバックに沿ってずり上がることを防止又は抑制できる車両用シート構造を得ることが目的である。
【課題を解決するための手段】
【０００６】
第１の態様の車両用シート構造は、乗員の臀部及び大腿部を支持するシートクッションと、前記シートクッションを車両上下方向を軸方向として回転可能に支持する回転機構と、前記シートクッションのシート後方側において該シートクッションに対してシート前後方向に傾倒可能に設けられ、前記乗員の上体を支持するシートバックと、前記シートバックに対して前記シートクッションとは反対側に設けられ、前記乗員の頭部を支持するヘッドレストと、前記ヘッドレスト又は前記シートバックにおける前記ヘッドレスト側に設けられ、車両の緊急時に前記乗員側へ向けて突出することで、前記シートバックに沿って前記ヘッドレスト側へ移動した前記乗員の両肩を拘束する肩拘束部と、を備えている。
【０００７】
第１の態様の車両用シート構造によれば、乗員がシートクッションに着座した状態では、当該乗員の臀部及び大腿部がシートクッションに支持される。また、乗員の上体及び頭部が、シートバック及びヘッドレストによってそれぞれ支持される。また、回転機構によって、シートクッションが回転すると、当該シートクッションの向きが変わる。すなわち、シートの向きが変わる。さらに、車両の緊急時には、肩拘束部が乗員側へ向けて突出する。肩拘束部が乗員側へ向けて突出した状態では、シートバックに沿ってヘッドレスト側へ移動した乗員の両肩が当該肩拘束部によって拘束される。これにより、シートの向きに関わらず、乗員の上体が衝突時にシートバックに沿ってずり上がることを防止又は抑制できる。
【０００８】
第２の態様の車両用シート構造は、第１の態様の車両用シート構造において、前記シートクッションのシート前方向が、車両の後方向に向けられた状態で、車両が前面衝突する時に又は前記シートクッションのシート前方向が、車両の前方向に向けられた状態で、車両が後面衝突する時に、前記肩拘束部が前記乗員側へ向けて突出する。
【０００９】
第２の態様の車両用シート構造によれば、シートクッションのシート前方向が、車両の後方向に向けられた状態で、車両が前面衝突する時に、肩拘束部が乗員側へ向けて突出することで、乗員の上体が前面衝突時にシートバックに沿ってずり上がることを防止又は抑制できる。また、シートクッションのシート前方向が、車両の前方向に向けられた状態で、車両が後面衝突する時に、肩拘束部が乗員側へ向けて突出することで、乗員の上体が後面衝突時にシートバックに沿ってずり上がることを防止又は抑制できる。
【００１０】
第３の態様の車両用シート構造は、第１の態様又は第２の態様の車両用シート構造において、前記乗員の両肩によって前記肩拘束部を押圧する荷重が所定の荷重を超えた際に、前記肩拘束部が移動する。
【００１１】
第３の態様の車両用シート構造によれば、乗員の両肩によって肩拘束部を押圧する荷重が所定の荷重を超えた際に、肩拘束部が移動する。これにより、乗員の両肩と肩拘束部との接触圧力が高まることを抑制することができる。
【００１２】
第４の態様の車両用シート構造は、第３の態様の車両用シート構造において、前記肩拘束部は、前記ヘッドレストに設けられ、前記シートバックに対する前記ヘッドレストの位置を所定の位置に保持する保持機構を備え、前記乗員の両肩によって前記肩拘束部を押圧する荷重が所定の荷重を超えた際に、前記保持機構による前記ヘッドレストの保持が解除される。
【００１３】
第４の態様の車両用シート構造によれば、乗員の両肩によって肩拘束部を押圧する荷重が所定の荷重を超えた際に、保持機構によるヘッドレストの保持が解除されて、肩拘束部がヘッドレストと共に移動する。これにより、乗員の両肩と肩拘束部との接触圧力が高まることを抑制することができる。
【００１４】
第５の態様の車両用シート構造は、第４の態様の車両用シート構造において、前記保持機構は、係止部を含んで構成され、前記ヘッドレストは、前記係止部が係止される被係止部を有するヘッドレストステーを含んで構成され、前記乗員の両肩によって前記肩拘束部を押圧する荷重が所定の荷重を超えた際に、前記係止部が前記被係止部から外れて、前記保持機構による前記ヘッドレストの保持が解除される。
【００１５】
第５の態様の車両用シート構造によれば、乗員の両肩によって肩拘束部を押圧する荷重が所定の荷重を超えた際に、保持機構の係止部がヘッドレストステーの被係止部から外れる。これにより、保持機構によるヘッドレストの保持が解除されて、肩拘束部がヘッドレストと共に移動する。その結果、乗員の両肩と肩拘束部との接触圧力が高まることを抑制することができる。
【００１６】
第６の態様の車両用シート構造は、第１の態様〜第５の態様のいずれか１つの態様の車両用シート構造において、前記肩拘束部には、前記乗員の両肩に押圧されることで変形するエネルギ吸収部が設けられている。
【００１７】
第６の態様の車両用シート構造によれば、乗員の両肩が肩拘束部を押圧すると、エネルギ吸収部が変形する。これにより、シートバック乗員の両肩と肩拘束部との接触圧力が高まることを抑制することができる。
【発明の効果】
【００１８】
本発明に係る車両用シート構造は、シートの向きに関わらず、車両用シートに着座した乗員の上体が衝突時にシートバックに沿ってずり上がることを防止又は抑制できる、という優れた効果を有する。
【図面の簡単な説明】
【００１９】
【図１】本実施形態の車両用シート構造が適用された車両用シートを備えたキャビンを模式的に示す側面図である。
【図２】肩拘束部が突出した状態の車両用シートの上方側の部分を示す斜視図である。
【図３】肩拘束部が突出する前の状態の車両用シートの上方側の部分を示す正面図である。
【図４】シートバックに設けられたステー係合部及び当該ステー係合部に係合されたヘッドレストステーを示す拡大断面図である。
【発明を実施するための形態】
【００２０】
図１〜図４を用いて、本発明の実施形態に係る車両用シート構造について説明する。なお、各図に適宜示す矢印Ｆ１はシート前方向、矢印Ｕ１はシート上方向、矢印Ｒ１はシート右方向、矢印Ｌ１はシート左方向をそれぞれ示すものとする。これらの各方向は、車両用シートに着座した乗員から見た各方向と対応している。また、図１に示す矢印Ｆ２は車両の前方向、矢印Ｕ２は車両の上方向、矢印Ｒ２は車両の右方向、矢印Ｌ２は車両の左方向をそれぞれ示すものとする。
【００２１】
図１に示されるように、本実施形態の車両用シート構造が適用された車両用シート１２は、乗員Ｐの臀部Ｐ１及び大腿部Ｐ２を支持するシートクッション２２と、乗員Ｐの上体Ｐ３を支持するシートバック２４と、を備えている。また、車両用シート１２は、乗員Ｐの頭部Ｐ４を支持するヘッドレスト２６を備えている。
【００２２】
シートクッション２２は、表皮材に覆われたシートクッションパッドがシートクッションフレームに取付けられること等によって構成されている。このシートクッション２２は、当該シートクッション２２をシート前後方向にスライドさせるシートレールを介して回転機構１８に支持されている。回転機構１８は、シートクッション２２（車両用シート１２）を車両上下方向を軸方向として回転可能に支持している。この回転機構１８を電動又は手動で作動させることで、車両用シート１２を回転させることが可能となっている。また、回転機構１８は、車両用シート１２の回転をロックする回転ロック部を備えている。この回転ロック部を有することにより、車両用シート１２の向きを所定の位置に保持することが可能となっている。一例として、本実施形態では、回転ロック部によって、車両用シート１２のシート前方側が車両前方側へ向けられた状態及び車両後方側へ向けられた状態にそれぞれ保持すること可能となっている。なお、図１においては、自動運転が可能な車両の運転席として用いられた車両用シート１２のシート前方側が車両後方側へ向けられた状態を示している。これにより、シートバック２４のシート後方側にステアリングホイール５２が位置していると共に、シートバック２４のシート上方側にフロントウィンドシールドガラス５４が位置している。
【００２３】
図１〜図３に示されるように、シートバック２４は、シートクッション２２と同様に表皮材に覆われたシートバックパッドがシートバックフレームに取付けられること等によって構成されている。このシートバック２４は、シートクッション２２のシート後方側の端部にシート前後方向に傾倒可能に取付けられている。また、図４に示されるように、シートバック２４の上端部（シートクッション２２とは反対側の端部）には、ヘッドレスト２６が保持されると共にヘッドレスト２６のシートバック２４に対する位置を所定の位置に保持する保持機構５６が設けられている。この保持機構５６は、後述するヘッドレストステー３０が差し込まれる一対の差込孔５８と、一対の差込孔５８の内部にそれぞれ突出する一対の係止部６０と、を含んで構成されている。
【００２４】
図２及び図３に示されるように、ヘッドレスト２６は、表皮材に覆われたヘッドレストパッドを含んで構成されたヘッドレスト本体２８がヘッドレストステー３０に取付けられること等によって構成されている。ヘッドレストステー３０は、ヘッドレスト本体２８から突出すると共に前述の一対の差込孔５８にそれぞれ差し込まれる一対の差込部３０Ａを備えている。図４に示されるように、この差込部３０Ａには、前述の係止部６０が係止される被係止部としての被係止凹部３０Ｂが形成されている。本実施形態では、差込部３０Ａの長手方向に沿って複数の被係止凹部３０Ｂが形成されている。そして、ヘッドレストステー３０の差込部３０Ａが差込孔５８に差し込まれて、係止部６０が被係止凹部３０Ｂに係止されることで、ヘッドレスト２６（ヘッドレスト本体２８）のシートバック２４に対する位置が所定の位置に保持される。また、本実施形態では、シートバック２４に沿ってヘッドレスト２６側へ移動した乗員Ｐの両肩Ｐ５がによって後述する肩拘束部６２を押圧する荷重が所定の荷重を超えた際に、係止部６０が被係止凹部３０Ｂから外れて、ヘッドレスト本体２８がシートバック２４とは反対側へ移動するようになっている。
【００２５】
図１、図２及び図３に示されるように、ヘッドレスト本体２８には、車両の緊急時に乗員側へ向けて突出することで、シートバック２４に沿ってヘッドレスト２６側へ移動した乗員Ｐの両肩Ｐ５を拘束する一対の肩拘束部６２が設けられている。図３に示されるように、一対の肩拘束部６２は、通常はヘッドレスト本体２８の内部に格納された状態に保持されている。また、一対の肩拘束部６２は、付勢部材６４によって乗員Ｐ側へ突出する方向へ付勢されている。そして、図１及び図２に示されるように、一対の肩拘束部６２は、車両の緊急時に、付勢部材６４の付勢力によって、ヘッドレスト本体２８のシート左側及び右側からそれぞれ乗員Ｐ側へ向けて突出するようになっている。なお、内部にガスが供給されて膨張することで、ヘッドレスト本体２８のシート左側及び右側からそれぞれ乗員Ｐ側へ向けて突出するような肩拘束部６２としてもよい。
【００２６】
また、本実施形態では、乗員Ｐの両肩Ｐ５が一対の肩拘束部６２を押圧することで、当該一対の肩拘束部６２が変形するようになっている。なお、図２では、肩拘束部６２において乗員Ｐの両肩Ｐ５によって変形される部分をエネルギ吸収部６２Ａとして示している。また、肩拘束部６２において乗員Ｐの両肩Ｐ５によって変形された部分の一部の輪郭を二点鎖線で示している。
【００２７】
ここで、本実施形態では、車両の衝突時（車両の緊急時）に、乗員Ｐがシートバック２４に沿ってヘッドレスト２６側へ移動する可能性が高い場合に、一対の肩拘束部６２がヘッドレスト本体２８から乗員Ｐ側へ向けて突出するようになっている。一例として、各種センサからの信号に基づいて、一対の肩拘束部６２をヘッドレスト本体２８から乗員Ｐ側へ向けて突出させる肩拘束部突出機構４５が設けられた場合について説明する。
【００２８】
図１に示されるように、肩拘束部突出機構４５は、シートクッション２２（車両用シート１２）が向いている方向を検出するシート向きセンサ４６と、車両が衝突することを予測する又は衝突したことを検出する衝突センサ４８と、シートバック２４のシートクッション２２に対するリクライニング角度を検出する角度センサ４９と、を備えている。また、肩拘束部突出機構４５は、シート向きセンサ４６、衝突センサ４８及び角度センサ４９からの信号に基づいて図示しないアクチュエータを作動させることで、一対の肩拘束部６２のヘッドレスト本体２８への格納状態の保持を解除させるＥＣＵ５０を備えている。
【００２９】
シート向きセンサ４６は、回転機構１８内に設けられることで車両用シート１２の向きを検出することが可能とされたセンサである。また、角度センサ４９は、シートクッション２２とシートバック２４との接合部に設けられることでシートバック２４のシートクッション２２に対するリクライニング角度を検出することが可能とされたセンサである。シート向きセンサ４６及び角度センサ４９としては、一例として、ロータリーエンコーダ等を用いることができる。
【００３０】
衝突センサ４８は、車両が衝突することを予測可能なセンサや車両が衝突したことを検出可能なセンサである。衝突センサ４８としては、車両の周囲の障害物等を検出するミリ波レーダや車両の減速加速度を検出する加速度センサ等を用いることができる。
【００３１】
そして、ＥＣＵ５０は、車両の衝突時に乗員Ｐがシートバック２４に沿ってヘッドレスト２６側へ移動する可能性が高いと判断した際にアクチュエータを作動させる。
【００３２】
次に、ＥＣＵ５０の作用について説明する。
【００３３】
ＥＣＵ５０は、衝突センサ４８からの信号に基づいて、車両が衝突する可能性が高いか否か又は車両が衝突したか否かを検知する。
【００３４】
車両が衝突する可能性が高い又は車両が衝突したことが検知されると、ＥＣＵ５０は、衝突センサ４８からの信号に基づいて、車両の衝突方向を判定する。
【００３５】
車両の衝突方向が前方側（車両が前面衝突する）と判断されると、ＥＣＵ５０は、シート向きセンサ４６からの信号に基づいて、車両用シート１２のシート前方側が車両の後方側へ向けられているか否かを判断する。また、ＥＣＵ５０は、角度センサ４９からの信号に基づいて、シートバック２４がシートクッション２２に対して所定の角度を超えて寝かされている（後傾されている）か否かを判断する。そして、車両用シート１２のシート前方側が車両の後方側へ向けられていると共にシートバック２４がシートクッション２２に対して所定の角度を超えて寝かされている状態であると判断されると、ＥＣＵ５０は、車両の衝突時に乗員Ｐがシートバック２４に沿ってヘッドレスト２６側へ移動する可能性が高いと判断し、アクチュエータを作動させる。これにより、図１に示されるように、一対の肩拘束部６２が、ヘッドレスト本体２８のシート左側及び右側からそれぞれ乗員Ｐ側へ向けて突出する。
【００３６】
その一方で、衝突センサ４８からの信号に基づいて、車両の衝突方向が後方側（車両が後面衝突する）と判断されると、ＥＣＵ５０は、シート向きセンサ４６からの信号に基づいて、車両用シート１２のシート前方側が車両の前方側へ向けられているか否かを判断する。また、ＥＣＵ５０は、角度センサ４９からの信号に基づいて、シートバック２４がシートクッション２２に対して所定の角度を超えて寝かされているか否かを判断する。そして、車両用シート１２のシート前方側が車両の前方側へ向けられていると共にシートバック２４がシートクッション２２に対して所定の角度を超えて寝かされている状態であると判断されると、ＥＣＵ５０は、車両の衝突時に乗員Ｐがシートバック２４に沿ってヘッドレスト２６側へ移動する可能性が高いと判断し、アクチュエータを作動させる。これにより、図１に示されるように、一対の肩拘束部６２が、ヘッドレスト本体２８のシート左側及び右側からそれぞれ乗員Ｐ側へ向けて突出する。
【００３７】
（本実施形態の作用並びに効果）
次に、本実施形態の作用並びに効果について説明する。
【００３８】
図１に示されるように、乗員Ｐがシートクッション２２に着座した状態では、当該乗員Ｐの臀部Ｐ１及び大腿部Ｐ２がシートクッション２２に支持され、乗員の上体Ｐ３が、シートバック２４によって支持される。この時、乗員Ｐは、シートバック２４をシートクッション２２に対してシート後方側へ傾けることにより、安楽姿勢で車両用シート１２に着座することができる。なお、図１においては、乗員Ｐが、安楽姿勢で車両用シート１２に着座している状態を示している。
【００３９】
ここで、本実施形態では、ＥＣＵ５０が、車両の衝突時に乗員Ｐがシートバック２４に沿ってヘッドレスト２６側へ移動する可能性が高いと判断した際に、アクチュエータを作動させて、一対の肩拘束部６２が、ヘッドレスト本体２８のシート左側及び右側からそれぞれ乗員Ｐ側へ向けて突出する。これにより、車両の衝突時にシートバック２４に沿ってヘッドレスト２６側へ向けて移動した乗員Ｐの両肩Ｐ５が、一対の肩拘束部６２によって拘束される。その結果、本実施形態では、車両用シート１２のシート前方側が車両後方側へ向けられている場合での後面衝突又は車両前方側へ向けられている場合での前面衝突において、車両用シート１２に着座した乗員Ｐの上体Ｐ３が衝突時にシートバック２４に沿ってずり上がることを防止又は抑制できる。
【００４０】
また、図１、図２及び図４に示されるように、本実施形態では、シートバック２４に沿ってヘッドレスト２６側へ移動した乗員Ｐの両肩Ｐ５が肩拘束部６２を押圧すると、当該肩拘束部６２の一部（エネルギ吸収部６２Ａ）が変形する。また、シートバック２４に沿ってヘッドレスト２６側へ移動した乗員Ｐの両肩Ｐ５が肩拘束部６２を押圧する荷重が所定の荷重を超えた際に、保持機構５６の一部を構成する係止部６０がヘッドレストステー３０の被係止凹部３０Ｂから外れて、ヘッドレスト本体２８がシートバック２４とは反対側へ移動する。これにより、乗員Ｐの両肩Ｐ５と一対の肩拘束部６２との接触圧力が高まることを抑制することができる。
【００４１】
なお、本実施形態では、車両用シート１２のシート前方側が車両後方側へ向けられている場合（乗員が後向き）での前面衝突又は車両前方側へ向けられている場合（乗員が前向き）での後面衝突において、車両用シート１２に着座した乗員Ｐの上体Ｐ３が衝突時にシートバック２４に沿ってずり上がることを防止又は抑制できるようにアクチュエータを作動させた。しかしながら、本発明はこれに限定されない。例えば、車両用シート１２のシート前方側が車両側方側へ向けられている場合において、車両用シート１２に着座した乗員Ｐの上体Ｐ３が衝突時にシートバック２４に沿ってずり上がることを防止又は抑制できるようにアクチュエータを作動させてもよい。
【００４２】
また、本実施形態では、ＥＣＵ５０やアクチュエータ等を用いた電気的な機構で、一対の肩拘束部６２を、ヘッドレスト本体２８から突出させた例について説明したが、本発明はこれに限定されない。例えば、機械的な機構によって、車両の衝突時に乗員Ｐがシートバック２４に沿ってヘッドレスト２６側へ移動する可能性が高い場合に、一対の肩拘束部６２を、ヘッドレスト本体２８から突出させてもよい。また、車両用シート１２のシート前方側が車両後方側へ向けられている（乗員が後向き）状態や、シートバック２４が所定の角度を超えて後ろ傾斜されている安楽姿勢では、常に一定の肩拘束部６２がヘッドレスト本体２８から突出しているように構成してもよい。さらに、車両の衝突時には常に一対の肩拘束部６２がヘッドレスト本体２８から突出するように構成してもよい。
【００４３】
また、本実施形態では、保持機構５６の一部を構成する係止部６０がヘッドレストステー３０の被係止凹部３０Ｂから外れることで、ヘッドレスト本体２８がシートバック２４とは反対側へ移動して、乗員Ｐの両肩Ｐ５と一対の肩拘束部６２との接触圧力が高まることを抑制した例について説明したが、本発明はこれに限定されない。例えば、肩拘束部６２がシートバック２４におけるヘッドレスト２６側から突出する構成を採る場合においては、乗員Ｐの両肩Ｐ５が肩拘束部６２を押圧する荷重が所定の荷重を超えた際に、肩拘束部６２のみが移動するように構成してもよい。
【００４４】
以上、本発明の一実施形態について説明したが、本発明は、上記に限定されるものでなく、その主旨を逸脱しない範囲内において上記以外にも種々変形して実施することが可能であることは勿論である。
【符号の説明】
【００４５】
１２ 車両用シート
１８ 回転機構
２２ シートクッション
２４ シートバック
２６ ヘッドレスト
３０ ヘッドレストステー
３０Ｂ 被係止凹部（被係止部）
５６ 保持機構
６０ 係止部
６２ 肩拘束部
６２Ａ エネルギ吸収部
【図１】
2020175895.tif 000003
【図２】
2020175895.tif 000004
【図３】
2020175895.tif 000005
【図４】
2020175895.tif 000006